(57)【要約】      （修正有）【課題】良好な性状の切断面が得られる切断装置用治具を提供する。【解決手段】切断装置用治具１０は、ベース部１４と、ガス切断装置３０のノズル３２を保持する保持部１６と、ベース部１４および保持部１６を支持する支持部とを備え、ノズル３２を介してガス切断装置３０を保持すると共に、ガイド部材２０と協働してガス切断装置３０の移動をガイドする。ガス切断装置３０の移動は、支持部をガイド部材２０の上端面２０ｂ１に当接させるとともに、ベース部１４の主面１４ｂをガイド部材２０の面２０ｂ２に当接させた状態で行われる。これにより、噴出口３２ａと、被切断材２との距離を一定に維持しながら、かつ、切断罫書き線に沿ってノズル３２を移動することができる。この結果、被切断材２における切断面の性状を向上する。【選択図】図１
0003184343.tif 000002
【実用新案登録請求の範囲】
【請求項１】
作動ガスを噴出する噴出口を有するノズルを、所望の方向に移動することにより、被切断材を切断する切断装置のための切断装置用治具であって、
前記ノズルを保持するノズル保持部と、
前記ノズルを前記所望の方向に移動する際、前記噴出口と該噴出口と対向する前記被切断材の面との間の距離を一定に維持する距離維持部と
前記ノズルの前記所望の方向への移動をガイドするガイド部と、
を備える切断装置用治具。
【請求項２】
前記ノズル保持部は、前記噴出口と前記被切断材との間の距離を調整可能に構成されてなる請求項１に記載の切断装置用治具。
【請求項３】
前記ノズルは、長手方向を有し、
前記ノズル保持部は、前記ノズルの前記長手方向に関する移動を許容した状態で、前記ノズルの外面に係合する係合部と、該係合部に前記ノズルを固定する固定部とを備える請求項２に記載の切断装置用治具。
【請求項４】
前記ガイド部は、前記所望の方向に長手方向を有する長尺状のガイド体に当接した状態で移動することにより、前記ノズルの前記所望の方向への移動をガイドするように構成されている請求項１ないし３のいずれか１項に記載の切断装置用治具。
【請求項５】
前記ガイド体は、前記ガイド部が当接する当接部を有し、
該当接部は、前記長手方向に延在する当接面を有し、
前記ガイド部は、前記当接面に面接触した状態で移動するように構成されている請求項４に記載の切断装置用治具。
【請求項６】
前記ガイド体は、前記距離維持部と当接する第２当接部を有し、
該第２当接部は、前記被切断材の切断面と平行に前記ガイド体の長手方向に延在しており、
前記距離維持部は、前記第２当接部に当接した状態で移動することにより、前記噴出口と前記被切断材との間の距離を一定に維持するように構成されている請求項４または５に記載の切断装置用治具。
【請求項７】
前記距離維持部は、前記第２当接部と線接触した状態で移動するように構成されている請求項６に記載の切断装置用治具。
【請求項８】
前記ガイド部は、第１の面と、該第１の面と平行な第２の面とを有する板状に構成されており、
前記第１の面には、前記ノズル保持部が突出状に設けられており、
前記第２の面には、前記距離維持部が突出状に設けられている
請求項１ないし７のいずれか１項に記載の切断装置用治具。
【考案の詳細な説明】
【技術分野】
【０００１】
本考案は、作動ガスを噴出する噴出口を有するノズルを、所望の方向に移動することにより、被切断材を切断する切断装置のための切断装置用治具に関する。
【背景技術】
【０００２】
従来、この種の切断装置用治具としては、板材等の被切断材に固定される定規体と、切断トーチを保持するトーチ受け部とを備え、トーチ受け部を定規体に沿って直線移動することができるものが提案されている。
この治具では、切断罫書き線に一致した直線切断を容易に行うことができる（例えば、特許文献１参照）。
【先行技術文献】
【特許文献】
【０００３】
【特許文献１】特開平１０−１８０１３３号公報
【考案の概要】
【考案が解決しようとする課題】
【０００４】
ところで、切断トーチにおける作動ガスを噴出する噴出口と、噴出口に対向する被切断材の面との間の距離も切断面の性状に影響を与える一要素である。すなわち、作動ガスの噴出口とこれに対向する被切断材の面との距離が、被切断材の切断作業中に変化すると、良好な切断面を得ることができない場合が生ずる。上述した治具では、この点について、何ら言及されておらず、良好な切断面を得るという点において、なお改良の余地がある。
【０００５】
本考案は、上記に鑑みてなされたものであり、被切断材における切断面の性状の向上に資する切断装置用治具を提供することを目的とする。
【課題を解決するための手段】
【０００６】
本考案の切断装置用治具は、上述の目的の少なくとも一部を達成するために以下の手段を採った。
【０００７】
本考案の切断装置用治具は、
作動ガスを噴出する噴出口を有するノズルを、所望の方向に移動することにより、被切断材を切断する切断装置のための切断装置用治具であって、
前記ノズルを保持するノズル保持部と、
前記ノズルを前記所望の方向に移動する際、前記噴出口と、該噴出口と対向する前記被切断材の面と、の間の距離を一定に維持する距離維持部と、
前記ノズルの前記所望の方向への移動をガイドするガイド部と、
を備えることを要旨とする。
【０００８】
本考案によれば、噴出口と被切断材との間の距離を一定に維持した状態でノズルを所望の方向に移動することができるため、被切断材に作用する熱量をほぼ一定に維持した状態で切断作業を行うことができる。これにより、良好な切断面を得ることができる。また、ノズルを所望の方向にガイドしながら移動するため、所望の切断面を得ることができる。なお、本考案における「切断装置」とは、アシストガスを含む作動ガスを用いて切断すべき部分を熱で溶かすことにより、被切断材を切断する熱切断装置がこれに該当し、典型的には、ガス切断装置、プラズマ切断装置、レーザ切断装置が該当する。また、本考案における「所望の方向」とは、典型的には、切断罫書き線に沿う方向がこれに該当する。
【０００９】
本考案に係る切断装置用治具の更なる形態によれば、ノズル保持部は、噴出口と被切断材との間の距離を調節可能に構成されている。
【００１０】
本形態によれば、噴出口と被切断材との間の距離を調節することができるため、被切断材の板厚に応じた適切な熱量を被切断材に作用することができる。これにより、被切断材の板厚に依らず、良好な切断面を得ることができる。
【００１１】
本考案に係る切断装置用治具の更なる形態によれば、ノズルは、長手方向を有する。また、ノズル保持部は、ノズルの長手方向に関する移動を許容した状態で、ノズルの外面に係合する係合部と、係合部にノズルを固定する固定部とを備える。
【００１２】
本形態によれば、ノズルを係合部に対して長手方向に移動させることによって、所望の固定位置となるように調整し、当該所望の固定位置において固定部によってノズルを係合部に固定する構成であるため、噴出口と被切断材との間の距離の調整を容易に行うことができる。
【００１３】
本考案に係る切断装置用治具の更なる形態によれば、ガイド部は、所望の方向に長手方向を有する長尺状のガイド体に当接した状態で移動することにより、ノズルの所望の方向への移動をガイドするように構成されている。
【００１４】
本形態によれば、所望の方向に長手方向を有する長尺状のガイド体に当接した状態でガイド部を移動するという簡単な操作で、ノズルの所望の方向への移動をガイドすることができる。
【００１５】
本考案に係る切断装置用治具の更なる形態によれば、ガイド体は、ガイド部が当接する当接部を有する。また、当接部は長手方向に延在する当接面を有する。そして、ガイド部は、当接面に面接触した状態で移動するように構成されている。
【００１６】
本形態によれば、ガイド部が当接面に面接触した状態で移動するため、ガイド部材が当接面に点接触や線接触した状態で移動する場合に比べて、ノズルの所望の方向への移動を安定してガイドすることができる。
【００１７】
本考案に係る切断装置用治具の更なる形態によれば、ガイド体は、距離維持部と当接する第２当接部を有する。また、第２当接部は、被切断材の切断面と平行にガイド体の長手方向に延在している。そして、距離維持部は、第２当接部に当接した状態で移動することにより、噴出口と被切断材との間の距離を一定に維持するように構成されている。
【００１８】
本形態によれば、距離維持部を第２当接部に当接した状態で移動するという簡単な構成で、噴出口と被切断材との間の距離を一定に維持することができる。
【００１９】
本考案に係る切断装置用治具の更なる形態によれば、距離維持部は、第２当接部と線接触した状態で移動するように構成されている。
【００２０】
本形態によれば、距離維持部と第２当接部とが面接触した状態で移動する構成に比べて、距離維持部と第２当接部との間の滑り摩擦を低減することができる。これにより、ノズルを所望の方向にスムーズに移動することができる。
【００２１】
本考案に係る切断装置用治具の更なる形態によれば、ガイド部は、第１の面と、第１の面と平行な第２の面とを有する板状に構成されている。そして、第１の面には、ノズル保持部が突出状に設けられており、第２の面には、距離維持部が突出状に設けられている。本形態における「設けられている」とは、ガイド部とは別々に成形されたノズル保持部および距離維持部が、ガイド部に取り付けられた態様の他、ノズル保持部および距離維持部がガイド部と一体成形された態様をも包含する。
【００２２】
本形態によれば、ガイド部を構成する互いに対向する２つの面のうちの一方の面にノズル保持部を突出状に設け、他方の面に距離維持部を設けるだけの構成であるため、切断装置用治具を簡易な構成とすることができる。
【考案の効果】
【００２３】
本考案によれば、被切断材における切断面の性状を向上に資する切断装置用治具を提供することができる。
【図面の簡単な説明】
【００２４】
【図１】図１は、ガス切断装置３０に本考案の一実施形態としての切断装置用治具１０を適用した状態を示す状態図である。
【図２】図２は、本考案の一実施形態としての切断装置用治具１０の正面図である。
【図３】図３は、本考案の一実施形態としての切断装置用治具１０の平面図である。
【図４】図４は、本考案の一実施形態としての切断装置用治具１０の側面図である。
【考案を実施するための形態】
【００２５】
次に、本考案を実施するための形態を実施例を用いて説明する。
【実施例】
【００２６】
図１は、ガス切断装置３０に本考案の一実施形態としての切断装置用治具１０を適用した状態を示す状態図であり、図２は、本考案の一実施形態としての切断装置用治具１０の正面図であり、図３は、本考案の一実施形態としての切断装置用治具１０の平面図であり、図４は、本考案の一実施形態としての切断装置用治具１０の側面図である。実施例の切断装置用治具１０は、図１に示すように、ベース部１４と、ガス切断装置３０のノズル３２を保持する保持部１６と、ベース部１４および保持部１６を支持する支持部１８とを備え、ノズル３２を介してガス切断装置３０を保持すると共に、ガイド部材２０と協働してガス切断装置３０の所望の方向の移動をガイドする。切断装置用治具１０は、図４に示すように、側面視略Ｚ字状に形成されている。切断装置用治具１０は、本考案における「切断装置用治具」に対応する実施構成の一例である。また、ガス切断装置３０は、本考案における「切断装置」に対応する実施構成の一例である。ベース部１４、保持部１６および支持部１８は、それぞれ本考案における「ガイド部」、「ノズル保持部」および「距離維持部」に対応する実施構成の一例である。
【００２７】
ベース部１４は、図２，３および４に示すように、平面視略長方形状の板状部材として構成されており、長手方向における一端寄りの部分に、厚み方向に貫通する貫通穴１４１が形成されている。すなわち、貫通穴１４１は、ベース部１４の２つの主面１４ａ，１４ｂを貫通する。なお、貫通穴１４１は、図２に示すように、ベース部１４の長手方向と交差する方向における中央を通る中央線ＣＬ上に中心を有するように形成されている。また、ベース部１４の主面１４ｂは、ガイド部材２０に当接する当接面としても機能する。
【００２８】
保持部１６は、図２，３および４に示すように、ブロック状部材として構成されており、厚み方向に貫通する貫通穴１６１が形成されている。貫通穴１６１は、ノズル３２の外径よりも若干大きい内径に形成されている。これにより、ノズル３２は、長軸方向への移動が許容された状態で、貫通穴１６１内に挿入され得る。また、保持部１６の４つの側面のうちの一つである側面１６ａには、貫通穴１６１まで貫通するネジ穴１６２が形成されている。なお、ネジ穴１６２は、図４に示すように、側面１６ａにおける厚み方向のほぼ中央位置に形成される。ネジ穴１６２の外径は、貫通穴１６１の外径よりも小さい。このネジ穴１６２には、図１に示すように、ネジＳが螺合され、ネジＳが螺合されることにより、ノズル３２が保持部１６に固定される。また、保持部１６は、ベース部１４の長手方向における他端寄りの部分、すなわち、貫通穴１４１が形成された側とは長手方向において反対側の部分に、側面１６ａと対向する側面１６ｂが当接されて、この状態で溶接によってベース部１４に取り付け固定される。このとき、保持部１６は、図２に示すように、正面視で貫通穴１６１の中心線と貫通穴１４１の中心線（中央線ＣＬ）とが重なるように取り付け固定される。こうして、保持部１６は、ベース部１４の主面１４ａから直角状に突出した状態でベース部１４に設けられる。貫通穴１６１は、本考案における「係合部」に対応する実施構成の一例である。また、ネジ穴１６２およびネジＳは、本考案における「固定部」に対応する実施構成の一例である。
【００２９】
支持部１８は、図２，３および４に示すように、円柱状部材として構成されており、貫通穴１４１の内径とほぼ同じ大きさの外径に形成されている。支持部１８は、端面１８ａとベース部１４の主面１４ａとが面一状態となるまで、貫通穴１４１に挿入された後、端面１８ａ（ベース部１４の主面１４ａ）側において溶接によってベース部１４に取り付け固定される。こうして、支持部１８は、ベース部１４の主面１４ｂから直角状に突出した状態でベース部に設けられる。すなわち、支持部１８は、ベース部１４に関して、保持部１６とは反対方向に突出している。
【００３０】
ガイド部材２０は、長尺状のＬ型アングルとして構成されており、図１に示すように、被切断材２の上面に当接して固定される第１辺部２０ａと、第１辺部２０ａに対して直角状に設けられた第２辺部２０ｂとから構成されている。第２辺部２０ｂは、第１辺部２０ａの底面２０ａ１からの高さが長手方向全域に亘って同じになるように構成されている。すなわち、被切断材２の上面から第２辺部２０ｂの上端面２０ｂ１までの距離が、ガイド部材２０の長手方向全域において同じとなるように構成されている。また、第２辺部２０ｂにおける第１辺部２０ａが接続された側とは反対側の面２０ｂ２には、ベース部１４の主面１４ｂが当接する。面２０ｂ２は、ベース部１４がガイド部材２０の長手方向へ摺動するのをガイドするガイド面として構成されている。さらに、上端面２０ｂ１には、支持部１８の側面（円周面）が当接する。上端面２０ｂ１は、支持部１８の軸方向直角方向への摺動をガイドするガイド部として構成されている。
【００３１】
次に、こうして構成された実施例の切断装置用治具１０の作用について説明する。まず、切断装置用治具１０における係合部１６にガス切断装置３０のノズル３２を係合させる。すなわち、図１に示すように、ノズル３２を係合部１６の貫通穴１６１に挿入する。そして、ノズル３２が係合部１６に係合した状態のまま、支持部１８をガイド部材２０の上端面２０ｂ１上に載せる。このとき、ベース部１４の主面１４ｂをガイド部材２０の面１２ａ１に当接させる。この状態で、ノズル３２を貫通穴１６１内においてノズル３２の長手方向に移動させ、ノズル３２における作動ガスの噴出口３２ａと、被切断材２における噴出口３２ａに対向する面との距離が、被切断材２の板厚等によって決まる適切な距離となるように調節し、ネジＳをネジ穴１６２にねじ込むことにより、ノズル３２を所望の位置で係合部１６に固定する。こうして、切断装置３０の保持部材１１への設置が完了する。
【００３２】
続いて、ノズル３２の中心軸線が、被切断材２に罫書かれた切断罫書き線と直交し、かつ、ガイド部材２０の角部１２ｃ、すなわち、面２０ｂ２が、切断罫書き線と平行になるように、ガイド部材２０を被切断材２上に固定する。このガイド部材２０の被切断材２上での固定は、例えば、被切断材２が磁性体である場合には、ガイド部材２０を磁化させておくことで行うことができる。あるいは、ガイド部材２０を被切断材２上に固定できれば、ガイド部材２０をボルト等の締結手段によって被切断材２上に固定するものとしても構わない。こうして、ガス切断装置３０の切断装置用治具１０への設置が完了する。
【００３３】
こうしてガス切断装置３０の切断装置用治具１０への設置が完了した後、ノズル３２の噴出口３２ａから作動ガスを噴出させ、被切断材２の切断を開始する。被切断材２の切断は、切断装置用治具１０をガイド部材２０に対してガイド部材２０の長手方向に摺動させることにより行う。具体的には、切断装置用治具１０の支持部１８をガイド部材２０の上端面２０ｂ１に当接させるとともに、切断装置用治具１０におけるベース部１４の主面１４ｂをガイド部材２０の面１２ａ１に当接させた状態のまま、切断装置用治具１０をガイド部材２０の長手方向に移動させる。このとき、ガイド部材２０における第２辺部２０ｂが、第１辺部２０ａの底面２０ａ１からの高さが長手方向全域に亘って同じとなるように、すなわち、被切断材２の上面から第２辺部２０ｂの上端面２０ｂ１までの距離が、ガイド部材２０の長手方向全域において同じとなるように構成されているため、ノズル３２における作動ガスの噴出口３２ａと、被切断材２における噴出口３２ａに対向する面との距離を一定に維持した状態で、ガス切断装置３０を移動することができる。なお、支持部１８が円柱状部材として構成されているため、支持部１８の外周面とガイド部材２０の上端面２０ｂ１との摺動抵抗を低減することができ、支持部１８を上端面１２ａ１上において滑らかに摺動することができる。
【００３４】
また、ノズル３２の中心軸線が被切断材２に罫書かれた切断罫書き線と直交し、かつ、ガイド部材２０の面１２ａ１が切断罫書き線と平行になるように、ガイド部材２０が被切断材２上に固定されているため、ガス切断装置３０、特にノズル３２を切断罫書き線に沿って移動することができる。この結果、被切断材２における切断面を良好に仕上げることができる。
【００３５】
以上説明した実施例の切断装置用治具１０によれば、ガス切断装置３０を用いて被切断材２を切断する際に、ノズル３２における作動ガスの噴出口３２ａと、被切断材２における噴出口３２ａに対向する面との距離を一定に維持しながらガス切断装置３０を移動することができる。これにより、被切断材２に作用する熱量がほぼ一定となるため、被切断材２の切断面の性状が安定する。この結果、良好な切断面を得ることができる。また、切断装置用治具１０をガイド部材２０に摺動させながらガス切断装置３０を移動することにより、被切断材２に罫書いた切断罫書き線に沿ってノズル３２を移動することができるため、切断罫書き線に一致した切断面を得ることができる。
【００３６】
また、実施例の切断装置用治具１０によれば、保持部１６が、ノズル３２の噴出口３２ａと、被切断材２における噴出口３２ａに対向する面との距離を調節することができるように構成されているため、被切断材２の板厚に応じた適切な熱量を被切断材２に作用させることができる。これにより、被切断材２の板厚に依らず、良好な切断面を得ることができる。
【００３７】
また、実施例の切断装置用治具１０によれば、保持部１６の貫通穴１６１内において、ノズル３２をノズル３２の長手方向に移動させ、所望の位置でネジＳをネジ穴１６２にねじ込むことによって、ノズル３２を係合部１６に固定する構成であるため、ノズル３２の噴出口３２ａと、被切断材２における噴出口３２ａに対向する面との距離を、所望の距離に容易に調節することができる。
【００３８】
また、実施例の切断装置用治具１０によれば、ベース部１４の主面１４ｂをガイド部材２０の面１２ａ１に面接触した状態で摺動する構成であるため、ノズル３２を安定して切断罫書き線に沿って移動させることができる。
【００３９】
また、実施例の切断装置用治具１０によれば、支持部１８をガイド部材２０における第２辺部２０ｂの上端面２０ｂ１上を摺動させるという簡易な構成で、ノズル３２の噴出口３２ａと、被切断材２における噴出口３２ａに対向する面との距離を一定に維持することができる。
【００４０】
また、実施例の切断装置用治具１０によれば、支持部１８が円柱状部材として構成されているため、ガイド部材２０における第２辺部２０ｂの上端面２０ｂ１との摺動摩擦を低減することができる。この結果、支持部１８を上端面２０ｂ１上において滑らかに摺動することができる。
【００４１】
上述した実施例の切断装置用治具１０では、保持部１６のネジ穴１６２にネジＳをねじ込むことによりノズル３２を保持部１６に固定する構成としたが、例えば、保持部１６自体によりノズル３２をクランプすることにより、ノズル３２を保持部１６に固定する構成としても構わない。
【００４２】
また、実施例の切断装置用治具１０では、ガイド部材２０としてＬ型アングルを用いる構成としたが、被切削部材上に固定した際に、切断罫書き線に平行となる面を有するとともに、支持部１８を摺動可能な面を有する部材、例えば、長尺状の角状部材などを用いる構成であっても構わない。
【００４３】
また、実施例の切断装置用治具１０では、支持部１８を円柱状部材により構成するものとしたが、角柱状部材であっても構わない。
【００４４】
また、実施例の切断装置用治具１０では、切断装置としてガス切断装置３０を用いる構成としたが、アシストガスを含む作動ガスを用いて切断すべき部分を熱で溶かすことにより、被切断材２を切断する熱切断装置であれば良く、例えば、プラズマ切断装置、レーザ切断装置を用いる構成としても構わない。
【００４５】
（実施形態の各構成要素と本考案の各構成要素の対応関係）
本実施形態は、本考案を実施するための形態の一例を示すものである。したがって、本考案は、本実施形態の構成に限定されるものではない。なお、本実施形態の各構成要素と本考案の各構成要素の対応関係を以下に示す。
【００４６】
ガス切断装置３０は、本考案の「切断装置」に対応する構成の一例である。
切断装置用治具１０は、本考案の「切断装置用治具」に対応する構成の一例である。
ノズル３２は、本考案の「ノズル」に対応する構成の一例である。
ガイド部材２０は、本考案の「ガイド体」に対応する構成の一例である。
ベース部１４は、本考案の「ガイド部」に対応する構成の一例である。
保持部１６は、本考案の「ノズル保持部」に対応する構成の一例である。
貫通穴１６１は、本考案の「係合部」に対応する構成の一例である。
ネジ穴１６２は、本考案の「固定部」に対応する構成の一例である。
ネジＳは、本考案の「固定部」に対応する構成の一例である。
支持部１８は、本考案の「距離維持部」に対応する構成の一例である。
噴出口３２ａは、本考案の「噴出口」に対応する構成の一例である。
被切断材２は、本考案の「被切断材」に対応する構成の一例である。
主面１４ｂは、本考案の「当接部」に対応する構成の一例である。
主面１４ｂは、本考案の「当接面」に対応する構成の一例である。
主面１４ｂは、本考案の「第２の面」に対応する構成の一例である。
上端面２０ｂ１は、本考案の「第２当接部」に対応する構成の一例である。
主面１４ａは、本考案の「第１の面」に対応する構成の一例である。
【００４７】
以上、本考案の実施の形態について実施例を用いて説明したが、本考案はこうした実施例に何等限定されるものではなく、本考案の要旨を逸脱しない範囲内において、種々なる形態で実施し得ることは勿論である。
【符号の説明】
【００４８】
２    被切断材
１０  切断装置用治具
１４  ベース部
１４ａ  主面
１４ｂ  主面
１６  保持部
１６ａ  側面
１６ｂ  側面
１８  支持部
１８ａ  端面
２０  ガイド部材
２０ａ  第１辺部
２０ａ１  底面
２０ｂ  第２辺部
２０ｂ１  上端面
２０ｂ２  面
３０  ガス切断装置
３２  ノズル
３２ａ  噴出口
１４１  貫通穴
１６１  貫通穴
１６２  ネジ穴
ＣＬ  中央線
Ｓ  ネジ
【図１】
0003184343.tif 000003
【図２】
0003184343.tif 000004
【図３】
0003184343.tif 000005
【図４】
0003184343.tif 000006